(57)【要約】【課題】本発明は、毛足の長い犬や濡れることを嫌うような犬に適し、散歩後の犬の毛の手入れが簡単になるような犬用レインコートを提供する。【解決手段】犬の胸部、腹部および背中部を覆い該背中部側または該腹部側で開閉自在に係着される胴体カバー部と、該犬の頭部を覆い該胴体カバー部の胸部に対置する箇所で固着される頭カバー部と、犬の尻尾を上部から覆い該胴体カバー部の尻尾側に固着される尻尾カバー部と、犬の四肢の爪先を含めた肢部全体を覆い該胴体カバー部に固着される４つの肢カバー部と、からなり、該頭カバー部の頭頂部には犬の目よりも前方に突出する鍔部を具え該鍔部には折り曲げられたときにその状態を保持する曲折自在の芯棒が前後方向に沿って内挿され、頭カバー部の首筋部分のカバーは尻尾側に延伸して該胴体カバー部の頭部側に着脱自在に重置される、または固着される構成とした。【選択図】図１
2008263938.tif 000002
【特許請求の範囲】
【請求項１】
犬の胸部、腹部および背中部を覆い該背中部側で開閉自在に係着される胴体カバー部と、
犬の頭頂部、耳部、喉部および首筋部を覆い前記胴体カバー部の胸部にその喉部が固着される頭カバー部と、
犬の尻尾を上部から覆い前記胴体カバー部の尻尾側に固着される尻尾カバー部と、
犬の四肢の爪先を含めた肢部を覆い前記胴体カバー部に固着される４つの肢カバー部と、からなり、
前記胴体カバー部には前記肢カバー部内に連通する４つの肢挿入孔および必要に応じて犬の小便排出部に対置する箇所に小便排出孔が貫設され、
前記頭カバー部の頭頂部は犬の目よりも前方に突出する鍔部を具え該鍔部には折り曲げられたときにその状態を保持する曲折自在の芯棒が前後方向に内挿され、該頭カバー部の首筋部は尻尾側に延伸して前記胴体カバー部の頭部側に重置されるとともに該胴体カバー部に対し着脱自在に係着され、
前記尻尾カバー部は背中部側で二分割されて前記胴体カバー部とともに開閉自在に係着され、
前記肢カバー部の上部は上下方向に対する伸縮性に富んだ伸縮材で構成されている、ことを特徴とする犬用レインコート。
【請求項２】
前記胴体カバー部および前記尻尾カバー部の係着部分に沿って該係着部分を上から覆う係着カバー部が該胴体カバー部および該尻尾カバー部に対し開閉自在または着脱自在に係着され、前記頭カバー部の首筋部は尻尾側に延伸して該係着カバー部の頭部側に重置されるとともに該係着カバー部に対し着脱自在に係着されている、ことを特徴とする請求項１に記載の犬用レインコート。
【請求項３】
前記胴体カバー部、前記頭カバー部、前記尻尾カバー部、前記肢カバー部、および前記係着カバー部はナイロン製の布で形成されている、ことを特徴とする請求項１または請求項２に記載の犬用レインコート。
【請求項４】
前記肢カバー部は上部肢カバー部と下部肢カバー部とからなり、該下部肢カバー部の上部の前記伸縮材はネット状に形成されるとともに該下部肢カバー部には犬の肢部を締め付ける調整ベルトが捲回され、該上部肢カバー部は前記胴体カバー部に固着されて該伸縮材を外側から緩やかに覆っている、ことを特徴とする請求項１ないし請求項３のいずれかに記載の犬用レインコート。
【請求項５】
前記頭カバー部の首筋部のカバー部分には首輪に連結されるリード紐の挿通孔が貫設されている、ことを特徴とする請求項１ないし請求項４のいずれかに記載の犬用レインコート。
【請求項６】
前記胴体カバー部同士および前記尻尾カバー部同士の係着は線ファスナーを介して行われ、該胴体カバー部および該尻尾カバー部に対する前記係着カバー部の係着は面ファスナーおよび／または点ファスナーを介して行われ、該胴体カバー部に対する前記頭カバー部の係着あるいは該係着カバー部に対する前記頭カバー部の係着は面ファスナーおよび／または点ファスナーを介して行われる、ことを特徴とする請求項１ないし請求項５のいずれかに記載の犬用レインコート。
【請求項７】
犬の背中部および腹部を覆い該腹部側で開閉自在に係着される胴体カバー部と、
犬の胸部を覆い前記胴体カバー部の前両側部に固着される胸カバー部と、
犬の頭頂部、耳部、喉部および首筋部を覆い前記胴体カバー部の前上側および前記胸カバー部の上部に固着される頭カバー部と、
犬の尻尾を上部から覆い前記胴体カバー部の尻尾側に固着される尻尾カバー部と、
犬の四肢の爪先を含めた肢部を覆い前記胴体カバー部に固着される一対の前肢カバー部および一対の後肢カバー部からなる肢カバー部と、からなり、
前記胴体カバー部は略半円形に切り欠きされた肢切欠部および必要に応じて犬の小便排出部に対置する箇所が切り欠きされた小便排出切欠部を具え、
前記胸カバー部の下部は一対の前記前肢カバー部の間を通って前記胴体カバー部の腹部に着脱自在に係着され、
前記頭カバー部の頭頂部は犬の目よりも前方に突出する鍔部を具え該鍔部には折り曲げられたときにその状態を保持する曲折自在の芯棒が前後方向に内挿され、
前記肢カバー部は前記肢切欠部に固着され、
前記肢カバー部の上部は上下方向に対する伸縮性に富んだ伸縮材で構成されている、ことを特徴とする犬用レインコート。
【請求項８】
前記胴体カバー部、前記頭カバー部、前記尻尾カバー部および前記肢カバー部はナイロン製の布で形成されている、ことを特徴とする請求項７に記載の犬用レインコート。
【請求項９】
前記肢カバー部は上部肢カバー部と下部肢カバー部とからなり、該下部肢カバー部の上部の前記伸縮材はネット状に形成されてその上端部の略半周が前記肢切欠部に固着されるとともに該下部肢カバー部の外周には犬の肢部を締め付ける調整ベルトが捲回され、
前記前肢カバー部の上部肢カバー部は前記肢切欠部および前記胸カバー部・前記胴体カバー部の固着部分に固着され、前記後肢カバー部の上部肢カバー部は前記肢切欠部に固着されて該伸縮材を外側から緩やかに覆っている、ことを特徴とする請求項７または請求項８に記載の犬用レインコート。
【請求項１０】
前記頭カバー部の首筋部のカバー部分には首輪に連結されるリード紐の挿通孔が貫設されている、ことを特徴とする請求項７ないし請求項９のいずれかに記載の犬用レインコート。
【請求項１１】
前記胴体カバー部同士の係着および前記胴体カバー部と前記胸カバー部の係着は面ファスナーを介して行われる、ことを特徴とする請求項７ないし請求項１０のいずれかに記載の犬用レインコート。
【発明の詳細な説明】
【技術分野】
【０００１】
本発明は、降水の中で犬を散歩させるときに使用される犬用レインコートに関する。
【背景技術】
【０００２】
犬には、適度の運動、生理現象の処理等のために毎日の散歩が必要とされているが、この散歩は、一定時間、一定距離を歩かせたり、走らせたりして屋外で行われる。
ところが、降水時の散歩では、犬の体が濡れたり、跳ねた泥が体に付着したりするため、その都度手入れが必要となるばかりでなく、濡れることによって病気の発生の原因となるおそれもある。ことに毛足の長い犬にとっては、体が濡れるとその乾きも遅くなり、この傾向がより強くなる。
【０００３】
犬を体の濡れから防ぐ道具として犬用レインコートがあるが、これに関する発明として、例えば、特開２００１−５７８２４公報に記載の「ペット用レインコート」がある。
【０００４】
この特開２００１−５７８２４公報に記載の「ペット用レインコート」は、「ペット犬が太ったり、やせたりして体型が変わっても、また、大型犬、中型犬、小型犬等のペットの大小を問わず、いずれの大きさにおいても、サイズを容易に調整することができる犬のレインコートを提供すること」を目的としていて、この目的を達成するために、「ペットの胴体部を背部から腹部方向にわたって覆うとともに下面が開口され、前記下面を形成する左右の前身頃を重ね合わせ可能に形成された胴体覆い部と、前記胴部覆い部に連設された筒状の前脚覆い部及び後脚覆い部と、ペットの頭部を覆うフード部とを備えたペット用レインコートを前提とするものであって、前記胴部覆い部に、前記左右の前身頃縁部から背部方向にわたってバックルを備えた胴体部調節用ベルトを胴回り方向にそれぞれ架設」する構成としている。
【特許文献１】特開２００１−５７８２４公報
【発明の開示】
【発明が解決しようとする課題】
【０００５】
しかしながら、特開２００１−５７８２４公報に開示の「ペット用レインコート」は犬の体型の変化に適用できるレインコートであって、毛足の長い犬や濡れることを嫌うような犬に適したものではない。
【０００６】
そこで、本発明は、毛足の長い犬や濡れることを嫌うような犬に適し、散歩後の犬の毛の手入れが簡単になるような犬用レインコートを提供することを目的とする。
【課題を解決するための手段】
【０００７】
上記目的を達成するため、本願請求項１に係る犬用レインコートは、犬の胸部、腹部および背中部を覆い該背中部側で開閉自在に係着される胴体カバー部と、犬の頭頂部、耳部、喉部および首筋部を覆い前記胴体カバー部の胸部にその喉部が固着される頭カバー部と、犬の尻尾を上部から覆い前記胴体カバー部の尻尾側に固着される尻尾カバー部と、犬の四肢の爪先を含めた肢部を覆い前記胴体カバー部に固着される４つの肢カバー部と、からなり、前記胴体カバー部には前記肢カバー部内に連通する４つの肢挿入孔および必要に応じて犬の小便排出部に対置する箇所に小便排出孔が貫設され、前記頭カバー部の頭頂部は犬の目よりも前方に突出する鍔部を具え該鍔部には折り曲げられたときにその状態を保持する曲折自在の芯棒が前後方向に内挿され、該頭カバー部の首筋部は尻尾側に延伸して前記胴体カバー部の頭部側に重置されるとともに該胴体カバー部に対し着脱自在に係着され、前記尻尾カバー部は背中部側で二分割されて前記胴体カバー部とともに開閉自在に係着され、前記肢カバー部の上部は上下方向に対する伸縮性に富んだ伸縮材で構成されている、ことを特徴としている。
そして、本願請求項２に係る犬用レインコートは、請求項１に記載の犬用レインコートであって、前記胴体カバー部および前記尻尾カバー部の係着部分に沿って該係着部分を上から覆う係着カバー部が該胴体カバー部および該尻尾カバー部に対し開閉自在または着脱自在に係着され、前記頭カバー部の首筋部は尻尾側に延伸して該係着カバー部の頭部側に重置されるとともに該係着カバー部に対し着脱自在に係着されている、ことを特徴としている。
また、本願請求項３に係る犬用レインコートは、請求項１または請求項２に記載の犬用レインコートであって、前記胴体カバー部、前記頭カバー部、前記尻尾カバー部、前記肢カバー部、および前記係着カバー部はナイロン製の布で形成されている、ことを特徴としている。
さらに、本願請求項４に係る犬用レインコートは、請求項１ないし請求項３のいずれかに記載の犬用レインコートであって、前記肢カバー部は上部肢カバー部と下部肢カバー部とからなり、該下部肢カバー部の上部の前記伸縮材はネット状に形成されるとともに該下部肢カバー部には犬の肢部を締め付ける調整ベルトが捲回され、該上部肢カバー部は前記胴体カバー部に固着されて該伸縮材を外側から緩やかに覆っている、ことを特徴としている。
そして、本願請求項５に係る犬用レインコートは、請求項１ないし請求項４のいずれかに記載の犬用レインコートであって、前記頭カバー部の首筋部のカバー部分には首輪に連結されるリード紐の挿通孔が貫設されている、ことを特徴としている。
また、本願請求項６に係る犬用レインコートは、請求項１ないし請求項５のいずれかに記載の犬用レインコートであって、前記胴体カバー部同士および前記尻尾カバー部同士の係着は線ファスナーを介して行われ、該胴体カバー部および該尻尾カバー部に対する前記係着カバー部の係着は面ファスナーおよび／または点ファスナーを介して行われ、該胴体カバー部に対する前記頭カバー部の係着あるいは該係着カバー部に対する前記頭カバー部の係着は面ファスナーおよび／または点ファスナーを介して行われる、ことを特徴としている。
そして、本願請求項７に係る犬用レインコートは、犬の背中部および腹部を覆い該腹部側で開閉自在に係着される胴体カバー部と、犬の胸部を覆い前記胴体カバー部の前両側部に固着される胸カバー部と、犬の頭頂部、耳部、喉部および首筋部を覆い前記胴体カバー部の前上側および前記胸カバー部の上部に固着される頭カバー部と、犬の尻尾を上部から覆い前記胴体カバー部の尻尾側に固着される尻尾カバー部と、犬の四肢の爪先を含めた肢部を覆い前記胴体カバー部に固着される一対の前肢カバー部および一対の後肢カバー部からなる肢カバー部と、からなり、前記胴体カバー部は略半円形に切り欠きされた肢切欠部および必要に応じて犬の小便排出部に対置する箇所が切り欠きされた小便排出切欠部を具え、前記胸カバー部の下部は一対の前記前肢カバー部の間を通って前記胴体カバー部の腹部に着脱自在に係着され、前記頭カバー部の頭頂部は犬の目よりも前方に突出する鍔部を具え該鍔部には折り曲げられたときにその状態を保持する曲折自在の芯棒が前後方向に内挿され、前記肢カバー部は前記肢切欠部に固着され、前記肢カバー部の上部は上下方向に対する伸縮性に富んだ伸縮材で構成されている、ことを特徴としている。
さらに、本願請求項８に係る犬用レインコートは、請求項７に記載の犬用レインコートであって、前記胴体カバー部、前記頭カバー部、前記尻尾カバー部および前記肢カバー部はナイロン製の布で形成されている、ことを特徴としている。
また、本願請求項９に係る犬用レインコートは、請求項７または請求項８に記載の犬用レインコートであって、前記肢カバー部は上部肢カバー部と下部肢カバー部とからなり、該下部肢カバー部の上部の前記伸縮材はネット状に形成されてその上端部の略半周が前記肢切欠部に固着されるとともに該下部肢カバー部の外周には犬の肢部を締め付ける調整ベルトが捲回され、前記前肢カバー部の上部肢カバー部は前記肢切欠部および前記胸カバー部・前記胴体カバー部の固着部分に固着され、前記後肢カバー部の上部肢カバー部は前記肢切欠部に固着されて該伸縮材を外側から緩やかに覆っている、ことを特徴としている。
そして、本願請求項１０に係る犬用レインコートは、請求項７ないし請求項９のいずれかに記載の犬用レインコートであって、前記頭カバー部の首筋部のカバー部分には首輪に連結されるリード紐の挿通孔が貫設されている、ことを特徴としている。
さらに、本願請求項１１に係る犬用レインコートは、請求項７ないし請求項１０のいずれかに記載の犬用レインコートであって、前記胴体カバー部同士の係着および前記胴体カバー部と前記胸カバー部の係着は面ファスナーを介して行われる、ことを特徴としている。
なお、上記において、「胴体カバー部の胸部」、「胴体カバー部の腹部」、「頭カバー部の頭頂部」および「頭カバー部の首筋部」とは、本願発明に係る犬用レインコートを着用させたときに犬の胸部、犬の腹部、犬の頭頂部および犬の首筋部に相対する部分をいう。また、「胴体カバー部の前両側部」、「胴体カバー部の前上側」、「胸カバー部の上部」、「前後方向」等における「前」、「後」、「上」、「下」の概念は、犬用レインコートを着用させたとき状態をいい、たとえば、「前」とは、犬用レインコートの頭部側をいう。そして、線ファスナーとは、スライド式ファスナーのような線で係着するファスナーをいい、面ファスナーとは雌型および雄型からなるテープ状の面で係着するファスナーをいい、点ファスナーとはスナップボタンあるいはボタンとボタンホールのような点で係着するファスナーをいう。
【発明の効果】
【０００８】
本願請求項１ないし請求項６に係る発明は、上記構成により以下の効果を奏する。
（１）犬の胸部、腹部および背中部を覆う胴体カバー部と、犬の頭頂部、耳部、喉部および首筋部を覆う頭カバー部と、犬の尻尾を上部から覆う尻尾カバー部と、犬の四肢の爪先を含めた肢部を覆う４つの肢カバー部と、から構成され、カバーされていない犬の部分は、犬の鼻の上部と尻尾の下側であるが、尻尾自体は胴体カバー部の尻尾側と垂れ下がる尻尾カバー部により実質的にカバーされている。さらに、胴体カバー部および尻尾カバー部の係着部分には当該係着部分を上から覆う係着カバー部を備えているので、背中側に取り付けられた係着部分の止水性が高くなる。
したがって、本願発明の犬用レインコートの素材を防水性や撥水性に富んだものとすることにより、毛足の長い犬や耳の垂れ下がった犬であっても降水による濡れはなく、散歩後の犬の毛の手入れが簡単になる。
（２）胴体カバー部および尻尾カバー部の係着は背中部側で行うことから、本願発明の犬用レインコートの犬に対する着脱は容易である。
（３）尻尾カバー部は尻尾を上からのみ覆い、必要に応じて犬の小便排出部に対置する箇所に小便排出孔が貫設されるので、犬の生理現象の処理に支障をきたすおそれはない。
（４）頭カバー部の頭頂部は犬の目よりも前方に突出する鍔部を具えていて、鍔部には折り曲げられたときにその状態を保持する曲折自在の芯棒が前後方向に沿って内挿されているので、カバーされていない犬の鼻の上部であっても、濡れ難くなるとともに、鍔部が犬の目の前に垂れ下がり視界を妨げることはない。さらに、曲折自在の芯棒により、降水の強弱や犬の好みに応じて、鍔部を下げたり上げたりすることができる。
（５）本願発明のレインコートの素材をナイロン製とすることにより、軽く、かつ、防水性に富んだレインコートにすることができるとともに、ナイロン製の布は撥水加工が容易であり、また、好みの鮮やかな色彩とすることができる。
（６）肢カバー部の上部は上下方向に対する伸縮性に富んだ伸縮材で構成されているので、犬の体型による肢の長さの違いにも合わせることができる。また、肢カバー部を上部肢カバー部と下部肢カバー部とから構成し、下部肢カバー部の上部の伸縮材はネット状とすることにより、通気性が良くなり蒸れ難くなる。
さらに、下部肢カバー部に捲回された調整ベルトにより、本願発明の犬用レインコートは、犬が激しい動きをしてもその動きに追随し、その位置がずれることはない。
（７）頭カバー部の首筋部のカバー部分に貫設されたリード紐の挿通孔により、本願発明の犬用レインコートを着用させてもリード紐を自由に使えることができる。
【０００９】
本願請求項７ないし請求項１１に係る発明は、上記構成により以下の効果を奏する。
（１）犬の腹部および背中部を覆う胴体カバー部と、犬の胸部を覆う胸カバー部と、犬の頭頂部、耳部、喉部および首筋部を覆う頭カバー部と、犬の尻尾を上部から覆う尻尾カバー部と、犬の四肢の爪先を含めた肢部を覆う４つの肢カバー部と、から構成され、カバーされていない犬の部分は、犬の鼻の上部と尻尾の下側であるが、尻尾自体は胴体カバー部の尻尾側と垂れ下がる尻尾カバー部により実質的にカバーされている。さらに、胴体カバー部の背中部は１枚の布で覆われるため、止水性が一段と向上する。
したがって、本願発明の犬用レインコートの素材を防水性や撥水性に富んだものとすることにより、毛足の長い犬や耳の垂れ下がった犬であっても降水による濡れはなく、散歩後の犬の毛の手入れが簡単になる。
（２）犬用レインコートの係着は、胴体カバー部の腹部の面ファスナーおよび胸カバー部の下部の面ファスナーのみであって、係着箇所が少なく、かつ、係着手段も面ファスナーで行うことから、本願発明の犬用レインコートの犬に対する着脱はより一層容易であり、また、着脱手段を面ファスナーで行うことにしているから、毛足の長い犬の毛や犬のカールした毛がファスナーに巻き込まれるおそれがない。
（３）頭カバー部の頭頂部は犬の目よりも前方に突出する鍔部を具えていて、鍔部には折り曲げられたときにその状態を保持する曲折自在の芯棒が前後方向に沿って内挿されているので、カバーされていない犬の鼻の上部であっても、濡れ難くなるとともに、鍔部が犬の目の前に垂れ下がり視界を妨げることはない。さらに、曲折自在の芯棒により、降水の強弱や犬の好みに応じて、鍔部を下げたり上げたりすることができる。
（４）下部肢カバー部の上部に位置するネット状に形成された伸縮材は、その上端部の略半周が肢切欠部に固着されているため、残りの略半周がフリーの状態となる。このため、犬の四肢を容易に肢カバー部内に挿入することができる。
（５）本願発明のレインコートの素材をナイロン製とすることにより、軽く、かつ、防水性に富んだレインコートにすることができるとともに、ナイロン製の布は撥水加工が容易であり、また、好みの鮮やかな色彩とすることができる。
（６）肢カバー部の上部は上下方向に対する伸縮性に富んだ伸縮材で構成されているので、犬の体型による肢の長さの違いにも合わせることができる。また、肢カバー部を上部肢カバー部と下部肢カバー部とから構成し、下部肢カバー部の上部の伸縮材はネット状とすることにより、通気性が良くなり蒸れ難くなる。
さらに、下部肢カバー部に捲回された調整ベルトにより、本願発明の犬用レインコートは、犬が激しい動きをしてもその動きに追随し、その位置がずれることはない。
（７）頭カバー部の首筋部のカバー部分に貫設されたリード紐の挿通孔により、本願発明の犬用レインコートを着用させてもリード紐を自由に使えることができる。
【発明を実施するための最良の形態】
【００１０】
以下、本願発明を実施するための最良の形態に係る実施例１および実施例２について、図１ないし図４に基づいて説明する。なお、図１は、実施例１に係る犬用レインコートの使用状態を示す側面図であり、図２は、実施例１に係る犬用レインコートの構成各部展開図であり、図２（ａ）は胴体カバー部の型紙図、図２（ｂ）は頭カバー部の型紙図、図２（ｃ）は尻尾カバー部の型紙図、図２（ｄ）は肢カバー部の型紙図、図２（ｅ）は係着カバー部の型紙図、であり、図３は、実施例２に係る犬用レインコートの使用状態を示す側面図であり、図４は、実施例２に係る犬用レインコートの構成各部展開図であり、図４（ａ）は胸カバー部の型紙図、図４（ｂ）は頭カバー部の型紙図、図４（ｃ）は胴体カバー部の型紙図、図４（ｄ）は尻尾カバー部の型紙図、図４（ｅ）は肢カバー部の型紙図、である。なお、図２および図４の（ａ）ないし（ｅ）における型紙は同一の縮尺ではなく、かつ、その形状も正確なものを表すものではない。
また、以下の説明で、「上」、「下」、「左」、「右」とは、図２および図４における図面の各方向をいう。
【００１１】
図１ないし図４において、符号１は実施例１に係る犬用レインコート、符号２は実施例に係る犬用レインコート、符号１０は胴体カバー部、符号１１は腹部カバー布、符号１３は背中部カバー布、符号１５は胸部カバー布、符号１６は肢切欠部、符号１７は肢挿通孔、符号１８は小便排出切欠部、符号１９は小便排出孔、符号２０は胸カバー部、符号３０は頭カバー部、符号３１は鍔部、符号３３は芯棒、符号３５は頭頂部布片、符号３７は耳部布片、符号３９は喉部布片、符号４１は首筋部布片、符号４３はリード紐挿通孔、符号５０は尻尾カバー部、符号５１は左尻尾カバー部布片、符号５３は右尻尾カバー部布片、符号７０は肢カバー部、符号７０１は前肢カバー部、符号７０３は後肢カバー部、符号７１は上部肢カバー部、符号７３は下部肢カバー部、符号７３１は下部肢カバー部本体、符号７３３は下部肢カバー底部布片、符号７３５はネット状伸縮材、符号７３７は調整ベルト、符号９０は係着カバー部、である。
また、符号イ、ロ、ニ、ホ、ヘ、ト、チ、リ、ヌ、ヲ、カ、タ、レ、ソ、ツ、ネ、ナ、ラ、ム、ウ、ノ、オ、ク、ヤ、マ、ケ、イ２、ロ２、ニ２、ホ２、ヘ２、ト２、チ２、ヌ２、ヲ２、カ２、ヨ、タ２、レ２、ソ２、ツ２、ネ２、ナ２、ラ２、ム２、ウ２、ノ２、オ２、ク２、ヤ２、マ２、ケ２、フ２およびコ２は各布片の縫着箇所、符号ハ、ヲ、ル、ワ、ハ２、リ２およびヌ２は各布片の係着箇所を示すとともに、縫着部分については点線で示し、係着部分については一点鎖線で示している。
【実施例１】
【００１２】
まず、実施例１に係る犬用レインコートについて図１および図２を基に説明する。
犬用レインコート１は、胴体カバー部１０、頭カバー部３０、尻尾カバー部５０、肢カバー部７０および係着カバー部９０から構成されていて、所定の箇所が縫着されることにより形成されている。
【００１３】
胴体カバー部１０は、腹部カバー布１１、背中部カバー布１３、胸部カバー布１５から構成されていて、胴体カバー部１０自体は１枚の布片であり、腹部カバー布１１および背中部カバー布１３は、略方形の隅角部が斜めに切取られた八角形状を呈し、さらに、当該八角形の上辺には略正方形の胸部カバー布１５が接続し、当該八角形の下辺は「富士山」の形に切取られたような形状となっている。そして、腹部カバー布１１には上部と下部の左右対称の位置に略円形の４つの肢挿通孔１７、１７、・・が貫設されるとともに、下部の位置に貫設された２つの肢挿通孔１７、１７との間には、略円形の小便排出孔１９が貫設されている。なお、この小便排出孔１９は雄犬用のものであり、雌犬用としては不要であるため、必要に応じて貫設することになる。
さらに、胸部カバー布１５の左辺（符号イの部分）と腹部カバー布１１および背中部カバー布１３が形成する略八角形の上辺の左側（符号イの部分）が縫着され、胸部カバー布１５の右辺（符号ロの部分）と腹部カバー布１１および背中部カバー布１３が形成する略八角形の上辺の右側（符号ロの部分）が縫着されて、胴体カバー部１０は立体的な形状に形成される。
【００１４】
頭カバー部３０は、頭頂部布片３５、耳部布片３７、３７、喉部布片３９および首筋部布片４１の５つの布片から構成されていて、頭頂部布片３５は略帆立貝に似た形状を呈し、耳部布片３７は略正方形の１つの隅角部が外側に凸の曲線で切取られたような形状を呈し、喉部布片３９は長方形の上辺が外側に凸の曲線となる形状を呈し、首筋部布片４１は略正方形の下側の２つの隅角部が斜めに切取られたような六角形状を呈している。また、頭頂部布片３５には上下方向に３本の芯棒３３、３３、３３が略上端部から下端部に亘って内挿されていて、この芯棒３３にはなまし鉄線が使用されている。
【００１５】
そして、頭カバー部３０は、帆立貝形状の頭頂部布片３５の左右両斜辺部分（符号タ、レの部分）に耳部布片３７、３７の直角の隅角部に挟まれた１つの辺（符号タ、レの部分）がそれぞれ縫着され、頭頂部布片３５の左右両斜辺部分に続く垂直の部分（符号ネ、ラの部分）が耳部布片３７、３７の直角の隅角部に挟まれたもう１つの辺の中間部分（符号ネ、ラの部分）まで縫着されて、頭頂部布片３５は符号タと符号ネの接続部および符号レと符号ラの接続部で直角に折り曲げられる。この直角の形状は、３本の芯棒３３も折り曲げられることにより確りと保持される。
さらに、頭頂部布片３５の下辺（符号ウの部分）を首筋部布片４１の上辺（符号ウの部分）の上に所定幅で重ね合わせて縫着されるが、符号ウの縫着部分はその中間部では縫着されず、この縫着されていない部分によりリード紐挿通孔４３が形成される。なお、頭頂部布片３５の下辺と首筋部布片４１の上辺の両端部のみを縫着し、その中間部に着脱自在の面ファスナーを縫着することによって、リード紐挿通孔４３を形成させても良い。
そして、首筋部布片４１の左右の辺（符号ナ、ムの部分）はそれぞれ頭頂部布片３５を直角に折り曲げて縫着した耳部布片３７のもう１つの辺の残りの部分（符号ナ、ムの部分）に縫着されている。また、喉部布片３９の左右の辺（符号ソ、ツの部分）が耳部布片３７の外側に凸の曲線で切取られたような曲線部分（符号ソ、ツの部分）に縫着される。
このように頭カバー部３０を構成する各布片が互いに縫着されることにより、頭頂部布片３５が図面の表側方向に湾曲して鍔部３１が形成されるとともに、頭カバー部３０は、図面の裏側方向と頭頂部布片３５および喉部布片３９の下辺の間の部分が開放された袋状に形成される。
【００１６】
尻尾カバー部５０は、直角を挟角とする左右対称の略扇形の左尻尾カバー部布片５１と右尻尾カバー部布片５３とから構成される。
【００１７】
肢カバー部７０は、上部肢カバー部７１および下部肢カバー部７３から構成され、下部肢カバー部７３は、さらに、下部肢カバー部本体７３１、下部肢カバー底部布片７３３、ネット状伸縮材７３５および調整ベルト７３７から構成されている。
この上部肢カバー部７１は長方形の布片であり左右の短辺（符号ノの部分）同士が縫着されて円筒状に形成されている。
下部肢カバー部７３を構成する長方形のネット状伸縮材７３５および略正方形の下部肢カバー部本体７３１は、ともに左右の辺（符号オおよび符号ヤの部分）同士が縫着されて円筒状に形成されていて、ネット状伸縮材７３５の下辺（符号クの部分）と下部肢カバー部本体７３１の上辺（符号クの部分）が縫着されている。さらに、下部肢カバー部本体７３１の下辺（符号マの部分）と略円形の下部肢カバー底部布片７３３の周縁部分が縫着されていて、円筒状に形成された下部肢カバー底部布片７３３の外周面（符号ケの部分）には調整ベルト７３７の先端部（符号ケの部分）が縫着されている。そして、調整ベルト７３７を下部肢カバー底部布片７３３の外周面を捲回したときには、調整ベルト７３７に縫着された面ファスナーを介して調整ベルト７３７の左辺部分と右辺部分とが相互に係着されるようになっている。
なお、実施例では、下部肢カバー底部布片７３３には複数に重ねたナイロン製の布を使用しているが、軟質の合成樹脂製の板材を使用しても良い。
【００１８】
また、係着カバー部９０は、長方形の１枚の布片で構成されている。
【００１９】
ここで、上述した犬用レインコート１を構成する各部の相互関係について説明する。
【００２０】
尻尾カバー部５０を構成する左尻尾カバー部布片５１と右尻尾カバー部布片５３の円周部分を互いに向き合うようにしたときの上辺（符号チ、リの部分）がそれぞれ胴体カバー部１０の下側両斜辺（符号チ、リの部分）に縫着され、胴体カバー部１０の左右の辺同士（符号ハの部分）および左尻尾カバー部布片５１の左辺（符号ワの部分）と右尻尾カバー部布片５３の右辺（符号ワの部分）が１本の線ファスナー（図示外）により係着されるようになっていて、この線ファスナーにより符号ハと符号ワの部分は開閉自在になるように形成されている。
【００２１】
そして、縫着により一体化された胴体カバー部１０と尻尾カバー部５０の係着部分（符号ハ、ワの部分）をカバーする係着カバー部９０の左辺（符号ヌ、カの部分）が胴体カバー部１０の符号ヌの部分と左尻尾カバー部布片５１の符号カの部分に縫着されるとともに、係着カバー部９０の右辺（符号ル、ヨの部分）が胴体カバー部１０の符号ルの部分と右尻尾カバー部布片５３の符号ヨの部分に面ファスナーを介して開閉自在に係着されるようになっている。
【００２２】
また、胴体カバー部１０と頭カバー部３０とは、胸部カバー布１５の上辺（符号ヲの部分）と喉部布片３９の湾曲した上辺（符号ヲの部分）が縫着されることにより胴体カバー部１０と頭カバー部３０が固着され、首筋部布片４１の下部と係着カバー部９０の上部が重ね合わされて首筋部布片４１と係着カバー部９０とは面ファスナー（図示外）を介して着脱自在に係着されるようになっている。
【００２３】
胴体カバー部１０に貫設された４つの肢挿通孔１７のそれぞれの周縁部（符号ニ、ホ、ヘ、トの部分）に４つのネット状伸縮材７３５の上辺（符号ニ、ホ、ヘ、トの部分）が縫着されて下部肢カバー部７３が胴体カバー部１０に固着されるとともに、上部肢カバー部７１が下部肢カバー部７３を外側から覆うようにしてその上辺（符号ニ、ホ、ヘ、トの部分）を４つの肢挿通孔１７のそれぞれの周縁部（符号ニ、ホ、ヘ、トの部分）に縫着されることにより、胴体カバー部１０に４つの肢カバー部７０が固着されている。
【００２４】
なお、胴体カバー部１０、頭カバー部３０、尻尾カバー部５０、肢カバー部７０および係着カバー部９０を構成する布には、ナイロン１００％の素材を使用し、ネット状伸縮材７３５には、ゴム糸をネット状に編み込んだゴムネットを使用している。
【００２５】
以上の構成により、犬用レインコート１は形成されるが、固着方法としては、実施例に示す縫着以外に、糊着、融着、溶着であっても良いことは勿論である。
【００２６】
つぎに、犬用レインコート１の使用方法の例について説明する。
【００２７】
犬に犬用レインコート１を着用させる手順例は、以下の通りである。
（１）胴体カバー部１０と尻尾カバー部５０の背中部（符号ハ、ワの部分）に介設されている線ファスナーをスライドさせて、胴体カバー部１０および尻尾カバー部５０を広げる。
（２）広げた胴体カバー部１０の４つの肢カバー部７０、７０、・・のそれぞれに犬の四肢を挿入し、犬の腹部から背中を包み込むようにして胴体カバー部１０を閉じ、符号ハおよび符号ワの部分の線ファスナーをスライドさせて胴体カバー部１０および尻尾カバー部５０の背中側同士を係着させる。
この手順により、犬用レインコート１の胴体カバー部１０は、ネット状伸縮材７３５の作用とも相俟って、犬の胴体にぴったりとフィットすることになる。
（３）符号ハおよび符号ワの部分の閉じた線ファスナーの上から係着カバー部９０を覆い被せて、胴体カバー部１０の符号ルと尻尾カバー部５０の符号ヨの部分に係着させる。この係着は図示外の面ファスナーを介して行われる。
係着カバー部９０を胴体カバー部１０と尻尾カバー部５０の線ファスナーの上から覆い被せることにより、降水が当該線ファスナーから犬用レインコート１内に浸入することがなくなる。
（４）上記（３）の手順後においては、頭カバー部３０は、喉部布片３９の上辺と胸部カバー布１５の上辺との縫着部分（符号ヲの部分）を介して犬の前面にぶら下がった状態となっているので、この頭カバー部３０を犬の頭部に覆い被せるようにするとともに、両耳を頭カバー部３０内に入れるようにして符号ヲの部分を中心に回転させると、頭カバー部３０は犬の頭部をすっぽりと包み込む。そして、係着カバー部９０の犬の頭部側に頭カバー部３０の首筋部布片４１を重置させて、図示外の面ファスナーを介して係着させる。犬にリード紐を使用する場合には、この手順において、リード紐を犬の首輪に連結させ、その先端部をリード紐挿通孔４３に挿通させれば良い。
そして、鍔部に内挿された曲折自在の芯棒により、降水の強いときには鍔部を下げて犬の顔面が濡れるのを防ぎ、降水の弱いときには鍔部を上げて犬の視界を広げることができる。
（５）さらに、下部肢カバー部本体７３１に縫着されている調整ベルト７３７を下部肢カバー底部布片７３３の外周面に捲回させて、犬の四肢を下部肢カバー部本体７３１上から締め付ける。これにより、犬用レインコート１は犬が激しい動きをしてもその動きに追随し、その位置がずれることがなくなる。
【００２８】
なお、上記手順を逆に行うことにより、犬用レインコート１を犬から脱がせることができる。
【実施例２】
【００２９】
つぎに、実施例２に係る犬用レインコートについて図３および図４を基に説明する。
犬用レインコート２は、胴体カバー部１０、胸カバー部２０、頭カバー部３０、尻尾カバー部５０および肢カバー部７０から構成されていて、所定の箇所が縫着されることにより形成されている。
【００３０】
胴体カバー部１０は、腹部カバー布１１、背中部カバー布１３から構成されていて、胴体カバー部１０自体は１枚の布片であり、略方形の上部隅角部が斜めに切取られた六角形状を呈し、さらに、当該六角形の上辺は下に凸の放物線で切取られたような形状となるとともに、当該六角形の下辺は「富士山」の形に切取られたような形状となっている。そして、胴体カバー部の左右の辺には上部と下部の左右対称の位置に略半円形の４つの肢切欠部３１、３１、・・が切欠きされるとともに、下部の位置に切欠きされた２つの肢切欠部３１、３１の上部には、小便排出孔切欠部１８、１８が切欠きされている。なお、この小便排出孔切欠部１８は雄犬用のものであり、雌犬用としては不要であるため、必要に応じて切欠きされることになる。
さらに、胴体カバー部１０の左右の辺の中間部には、縦長の長方形の係着部が突設されていて、この係着部には面ファスナーが縫着されている（符号ハ２の部分）。そして、この係着部同士が面ファスナーを介して係着することにより、胴体カバー部１０は円筒状になる。
【００３１】
頭カバー部３０は、頭頂部布片３５、耳部布片３７、３７、喉部布片３９および首筋部布片４１の５つの布片から構成されていて、頭頂部布片３５は略帆立貝に似た形状を呈し、耳部布片３７は略正方形の１つの隅角部が外側に凸の曲線で切取られたような形状を呈し、喉部布片３９は長方形の上辺が外側に凸の曲線となる形状を呈し、首筋部布片４１は略正方形の下側の２つの隅角部が斜めに切取られたような六角形状を呈している。また、頭頂部布片３５には上下方向に３本の芯棒３３、３３、３３が略上端部から下端部に亘って内挿されていて、この芯棒３３にはなまし鉄線が使用されている。
【００３２】
そして、頭カバー部３０は、帆立貝形状の頭頂部布片３５の左右両斜辺部分（符号タ２、レ２の部分）に耳部布片３７、３７の直角の隅角部に挟まれた１つの辺（符号タ２、レ２の部分）がそれぞれ縫着され、頭頂部布片３５の左右両斜辺部分に続く垂直の部分（符号ネ２、ラ２の部分）が耳部布片３７、３７の直角の隅角部に挟まれたもう１つの辺の中間部分（符号ネ２、ラ２の部分）まで縫着されて、頭頂部布片３５は符号タ２と符号ネ２の接続部および符号レ２と符号ラ２の接続部で直角に折り曲げられる。この直角の形状は、３本の芯棒３３も折り曲げられることにより確りと保持される。
さらに、頭頂部布片３５の下辺（符号ウ２の部分）を首筋部布片４１の上辺（符号ウ２の部分）の上に所定幅で重ね合わせて縫着されるが、符号ウ２の縫着部分はその中間部では縫着されず、この縫着されていない部分によりリード紐挿通孔４３が形成される。なお、頭頂部布片３５の下辺と首筋部布片４１の上辺の両端部のみを縫着し、その中間部に着脱自在の面ファスナーを縫着することによって、リード紐挿通孔４３を形成させても良い。
そして、首筋部布片４１の左右の辺（符号ナ２、ム２の部分）はそれぞれ頭頂部布片３５を直角に折り曲げて縫着した耳部布片３７のもう１つの辺の残りの部分（符号ナ２、ム２の部分）に縫着されている。また、喉部布片３９の左右の辺（符号ソ２、ツ２の部分）が耳部布片３７の外側に凸の曲線で切取られたような曲線部分（符号ソ２、ツ２の部分）に縫着される。
このように頭カバー部３０を構成する各布片が互いに縫着されることにより、頭頂部布片３５が図面の表側方向に湾曲して鍔部３１が形成されるとともに、頭カバー部３０は、図面の裏側方向と頭頂部布片３５および喉部布片３９の下辺の間の部分が開放された袋状に形成される。
【００３３】
また、胸カバー部２０は、略矩形の４つの隅角部を切取った略八角形を呈する1枚の布で構成され、尻尾カバー部５０は、上辺を直線とする半円形状に形成された1枚の布で構成されている。
【００３４】
肢カバー部７０は、一対の前肢カバー部７０１、７０１および一対の後肢カバー部７０３、７０３からなり、前肢カバー部７０１および後肢カバー部７０３ともに上部肢カバー部７１および下部肢カバー部７３から構成され、下部肢カバー部７３は、さらに、下部肢カバー部本体７３１、下部肢カバー底部布片７３３、ネット状伸縮材７３５および調整ベルト７３７から構成されている。
この上部肢カバー部７１は長方形の布片であり左右の短辺（符号ノ２の部分）同士が縫着されて円筒状に形成されている。
下部肢カバー部７３を構成する長方形のネット状伸縮材７３５および略正方形の下部肢カバー部本体７３１は、ともに左右の辺（符号オ２および符号ヤ２の部分）同士が縫着されて円筒状に形成されていて、ネット状伸縮材７３５の下辺（符号ク２の部分）と下部肢カバー部本体７３１の上辺（符号ク２の部分）が縫着されている。さらに、下部肢カバー部本体７３１の下辺（符号マ２の部分）と略円形の下部肢カバー底部布片７３３の周縁部分（符号マ２の部分）が縫着されていて、円筒状に形成された下部肢カバー底部布片７３３の外周面（符号ケ２の部分）には調整ベルト７３７（符号ケ２の部分）が縫着されている。そして、調整ベルト７３７を下部肢カバー底部布片７３３の外周面を捲回したときには、調整ベルト７３７に縫着された面ファスナーを介して調整ベルト７３７同士が重置されて相互に係着されるようになっている。
なお、実施例では、下部肢カバー底部布片７３３には複数に重ねたナイロン製の布を使用しているが、軟質の合成樹脂製の板材を使用しても良い。
【００３５】
ここで、上述した犬用レインコート２を構成する各部の相互関係について説明する。
【００３６】
胸カバー部２０の下部に位置する斜辺（符号ニ２、ホ２の部分）は、胴体カバー部１０の上部に位置する斜辺（符号ニ２、ホ２の部分）に縫着される。さらに、胸カバー部２０の上辺のコーナー部分（符号リ２、ヌ２の部分）には、面ファスナーが縫着され、胴体カバー部１０の上部に位置する２つの肢切欠部１６、１６に近接した符号リ２およびヌ２の部分に縫着された面ファスナーにより、胸カバー部２０の上辺のコーナー部分（符号リ２、ヌ２の部分）は、胴体カバー部１０の上部の２つの肢切欠部１６、１６の近傍（符号リ２、ヌ２の部分）に着脱自在に係着されるようになっている。
【００３７】
尻尾カバー部５０の上辺の左側（符号カ２の部分）および右側（符号ヨ２の部分）がそれぞれ胴体カバー部１０の下部に位置する下に凸の曲線の部分（符号カ２、ヨ２の部分）に縫着されて、尻尾カバー部５０は胴体カバー部１０と一体となっている。
【００３８】
頭カバー部３０は、胸カバー部２０の下辺（符号ヲ２の部分）と喉部布片３９の湾曲した上辺（符号ヲ２の部分）が縫着され、さらに、胴体カバー部１０の湾曲した上辺の中央部分（符号ヘ２の部分）に首筋部布片４１の両斜辺および下辺（符号ヘ２の部分）が縫着されるとともに、胴体カバー部１０の湾曲した上辺の左右の部分（符号イ２、ロ２の部分）に耳部布片３７の外側に凸の曲線で形成された辺の下方（符号イ２、ロ２の部分）が縫着されている。
【００３９】
胴体カバー部１０に切欠きされた４つの肢切欠部１６のそれぞれの周縁部（符号ト２、チ２、ル２、ワ２の部分）に４つのネット状伸縮材７３５の上辺の略半分（符号ト２、チ２、ル２、ワ２の部分）が縫着されて、胴体カバー部１０に一対の前肢カバー部７０１および後肢カバー部７０３が固着されている。また、上部肢カバー部７１についてもネット状伸縮材７３５の上辺と同様に、上部肢カバー部７１の上辺が胴体カバー部１０の符号ト２、チ２、ル２、ワ２の部分に縫着され、さらに前肢カバー部７０１については、胸カバー部２０の符号フ２、コ２の部分にも縫着されて、下部肢カバー部７３を緩やかに外側から覆うようになっている。
【００４０】
なお、胴体カバー部１０、胸カバー部２０、頭カバー部３０、尻尾カバー部５０および肢カバー部７０を構成する布には、ナイロン１００％の素材を使用し、ネット状伸縮材７３５には、ゴム糸をネット状に編み込んだゴムネットを使用している。
【００４１】
以上の構成により、犬用レインコート２は形成されるが、固着方法としては、実施例に示す縫着以外に、糊着、融着、溶着であっても良いことは勿論である。
【００４２】
つぎに、犬用レインコート２の使用方法の例について説明する。
【００４３】
犬に犬用レインコート２を着用させる手順例は、以下の通りである。
（１）胴体カバー部１０の係着部分（符号ハ２、リ２、ヌ２の部分）の係止を解いて、犬用レインコート２を広げる。
（２）広げた犬用レインコート２の前肢カバー部７０１に犬の前肢を挿入する。
（３）犬の頭部を頭カバー部３０内に挿入しながら胴体カバー部１０および尻尾カバー部５０を犬の背中に載置する。
犬にリード紐を使用する場合には、この手順において、リード紐を犬の首輪に連結させ、その先端部をリード紐挿通孔４３に挿通させれば良い。
そして、鍔部に内挿された曲折自在の芯棒により、降水の強いときには鍔部を下げて犬の顔面が濡れるのを防ぎ、降水の弱いときには鍔部を上げて犬の視界を広げることができる。
（４）犬の後肢を後肢カバー部７０３に挿入する。
（５）胴体カバー部１０で犬の背中を包み込むようにして、符号ハ２の部分に縫着された面ファスナーにより胴体カバー部１０を犬の胴体に巻きつける。
（６）犬の胸の前面に垂れ下がった胸カバー部２０の下端部（符号リ２、ヌ２の部分）を犬の前肢の間を通して、胴体カバー部１０の肢切欠部１６、１６に近接した符号リ２およびヌ２の部分に面ファスナーを介して係着させる。
（７）下部肢カバー部本体７３１に縫着されている調整ベルト７３７を下部肢カバー底部布片７３３の外周面に捲回させて、犬の四肢を下部肢カバー部本体７３１上から締め付ける。これにより、犬用レインコート１は犬が激しい動きをしてもその動きに追随し、その位置がずれることがなくなる。
【００４４】
なお、上記手順を逆に行うことにより、犬用レインコート２を犬から脱がせることができる。
【図面の簡単な説明】
【００４５】
【図１】図１は、実施例に係る犬用レインコートの使用状態を示す側面図である。
【図２】図２は、実施例に係る犬用レインコートの構成各部展開図であり、図２（ａ）は胴体カバー部の型紙図、図２（ｂ）は頭カバー部の型紙図、図２（ｃ）は尻尾カバー部の型紙図、図２（ｄ）は肢カバー部の型紙図、図２（ｄ）は係着カバー部の型紙図、である。
【図３】図３は、実施例２に係る犬用レインコートの使用状態を示す側面図である。
【図４】図４は、実施例２に係る犬用レインコートの構成各部展開図であり、図４（ａ）は胸カバー部の型紙図、図４（ｂ）は頭カバー部の型紙図、図４（ｃ）は胴体カバー部の型紙図、図４（ｄ）は尻尾カバー部の型紙図、図４（ｅ）は肢カバー部の型紙図、である。
【符号の説明】
【００４６】
１  実施例に係る犬用レインコート
２  実施例に係る犬用レインコート
１０  胴体カバー部
１６  肢切欠部
１７  肢挿通孔
１９  小便排出孔
１８  小便排出切欠部
２０  頭カバー部
３０  頭カバー部
３１  鍔部
３３  芯棒
４３  リード紐挿通孔
５０  尻尾カバー部
７０  肢カバー部
７０１  前肢カバー部
７０３  後肢カバー部
７１  上部肢カバー部
７３  下部肢カバー部
７３５  ネット状伸縮材
７３７  調整ベルト
９０  係着カバー部
【図１】
2008263938.tif 000003
【図２】
2008263938.tif 000004
【図３】
2008263938.tif 000005
【図４】
2008263938.tif 000006
【手続補正書】
【提出日】平成19年9月5日(2007.9.5)
【手続補正１】
【補正対象書類名】特許請求の範囲
【補正対象項目名】請求項１
【補正方法】変更
【補正の内容】
【請求項１】
犬の胸部、腹部および背中部を覆い該背中部側で開閉自在に係着される胴体カバー部と、
犬の頭頂部、耳部、喉部および首筋部を覆い前記胴体カバー部の胸部にその喉部が固着される頭カバー部と、
犬の尻尾を上部から覆い前記胴体カバー部の尻尾側に固着される尻尾カバー部と、
犬の四肢の爪先を含めた肢部を覆い前記胴体カバー部に固着される４つの肢カバー部と、からなり、
前記胴体カバー部には前記肢カバー部内に連通する４つの肢挿入孔が貫設され、または前記肢カバー部内に連通する４つの肢挿入孔に加えて犬の小便排出部に対置する箇所に小便排出孔が貫設され、
前記頭カバー部の頭頂部は犬の目よりも前方に突出する鍔部を具え該鍔部には折り曲げられたときにその状態を保持する曲折自在の芯棒が前後方向に内挿され、該頭カバー部の首筋部は尻尾側に延伸して前記胴体カバー部の頭部側に重置されるとともに該胴体カバー部に対し着脱自在に係着され、
前記尻尾カバー部は背中部側で二分割されて前記胴体カバー部とともに開閉自在に係着され、
前記肢カバー部の上部は上下方向に対する伸縮性に富んだ伸縮材で構成されている、ことを特徴とする犬用レインコート。
【手続補正２】
【補正対象書類名】特許請求の範囲
【補正対象項目名】請求項７
【補正方法】変更
【補正の内容】
【請求項７】
犬の背中部および腹部を覆い該腹部側で開閉自在に係着される胴体カバー部と、
犬の胸部を覆い前記胴体カバー部の前両側部に固着される胸カバー部と、
犬の頭頂部、耳部、喉部および首筋部を覆い前記胴体カバー部の前上側および前記胸カバー部の上部に固着される頭カバー部と、
犬の尻尾を上部から覆い前記胴体カバー部の尻尾側に固着される尻尾カバー部と、
犬の四肢の爪先を含めた肢部を覆い前記胴体カバー部に固着される一対の前肢カバー部および一対の後肢カバー部からなる肢カバー部と、からなり、
前記胴体カバー部は略半円形に切り欠きされた肢切欠部を具え、または略半円形に切り欠きされた肢切欠部に加えて犬の小便排出部に対置する箇所が切り欠きされた小便排出切欠部を具え、
前記胸カバー部の下部は一対の前記前肢カバー部の間を通って前記胴体カバー部の腹部に着脱自在に係着され、
前記頭カバー部の頭頂部は犬の目よりも前方に突出する鍔部を具え該鍔部には折り曲げられたときにその状態を保持する曲折自在の芯棒が前後方向に内挿され、
前記肢カバー部は前記肢切欠部に固着され、
前記肢カバー部の上部は上下方向に対する伸縮性に富んだ伸縮材で構成されている、ことを特徴とする犬用レインコート。
【手続補正３】
【補正対象書類名】明細書
【補正対象項目名】０００７
【補正方法】変更
【補正の内容】
【０００７】
上記目的を達成するため、本願請求項１に係る犬用レインコートは、犬の胸部、腹部および背中部を覆い該背中部側で開閉自在に係着される胴体カバー部と、犬の頭頂部、耳部、喉部および首筋部を覆い前記胴体カバー部の胸部にその喉部が固着される頭カバー部と、犬の尻尾を上部から覆い前記胴体カバー部の尻尾側に固着される尻尾カバー部と、犬の四肢の爪先を含めた肢部を覆い前記胴体カバー部に固着される４つの肢カバー部と、からなり、前記胴体カバー部には前記肢カバー部内に連通する４つの肢挿入孔が貫設され、または前記肢カバー部内に連通する４つの肢挿入孔に加えて犬の小便排出部に対置する箇所に小便排出孔が貫設され、前記頭カバー部の頭頂部は犬の目よりも前方に突出する鍔部を具え該鍔部には折り曲げられたときにその状態を保持する曲折自在の芯棒が前後方向に内挿され、該頭カバー部の首筋部は尻尾側に延伸して前記胴体カバー部の頭部側に重置されるとともに該胴体カバー部に対し着脱自在に係着され、前記尻尾カバー部は背中部側で二分割されて前記胴体カバー部とともに開閉自在に係着され、前記肢カバー部の上部は上下方向に対する伸縮性に富んだ伸縮材で構成されている、ことを特徴としている。
そして、本願請求項２に係る犬用レインコートは、請求項１に記載の犬用レインコートであって、前記胴体カバー部および前記尻尾カバー部の係着部分に沿って該係着部分を上から覆う係着カバー部が該胴体カバー部および該尻尾カバー部に対し開閉自在または着脱自在に係着され、前記頭カバー部の首筋部は尻尾側に延伸して該係着カバー部の頭部側に重置されるとともに該係着カバー部に対し着脱自在に係着されている、ことを特徴としている。
また、本願請求項３に係る犬用レインコートは、請求項１または請求項２に記載の犬用レインコートであって、前記胴体カバー部、前記頭カバー部、前記尻尾カバー部、前記肢カバー部、および前記係着カバー部はナイロン製の布で形成されている、ことを特徴としている。
さらに、本願請求項４に係る犬用レインコートは、請求項１ないし請求項３のいずれかに記載の犬用レインコートであって、前記肢カバー部は上部肢カバー部と下部肢カバー部とからなり、該下部肢カバー部の上部の前記伸縮材はネット状に形成されるとともに該下部肢カバー部には犬の肢部を締め付ける調整ベルトが捲回され、該上部肢カバー部は前記胴体カバー部に固着されて該伸縮材を外側から緩やかに覆っている、ことを特徴としている。
そして、本願請求項５に係る犬用レインコートは、請求項１ないし請求項４のいずれかに記載の犬用レインコートであって、前記頭カバー部の首筋部のカバー部分には首輪に連結されるリード紐の挿通孔が貫設されている、ことを特徴としている。
また、本願請求項６に係る犬用レインコートは、請求項１ないし請求項５のいずれかに記載の犬用レインコートであって、前記胴体カバー部同士および前記尻尾カバー部同士の係着は線ファスナーを介して行われ、該胴体カバー部および該尻尾カバー部に対する前記係着カバー部の係着は面ファスナーおよび／または点ファスナーを介して行われ、該胴体カバー部に対する前記頭カバー部の係着あるいは該係着カバー部に対する前記頭カバー部の係着は面ファスナーおよび／または点ファスナーを介して行われる、ことを特徴としている。
そして、本願請求項７に係る犬用レインコートは、犬の背中部および腹部を覆い該腹部側で開閉自在に係着される胴体カバー部と、犬の胸部を覆い前記胴体カバー部の前両側部に固着される胸カバー部と、犬の頭頂部、耳部、喉部および首筋部を覆い前記胴体カバー部の前上側および前記胸カバー部の上部に固着される頭カバー部と、犬の尻尾を上部から覆い前記胴体カバー部の尻尾側に固着される尻尾カバー部と、犬の四肢の爪先を含めた肢部を覆い前記胴体カバー部に固着される一対の前肢カバー部および一対の後肢カバー部からなる肢カバー部と、からなり、前記胴体カバー部は略半円形に切り欠きされた肢切欠部を具え、または略半円形に切り欠きされた肢切欠部に加えて犬の小便排出部に対置する箇所が切り欠きされた小便排出切欠部を具え、前記胸カバー部の下部は一対の前記前肢カバー部の間を通って前記胴体カバー部の腹部に着脱自在に係着され、前記頭カバー部の頭頂部は犬の目よりも前方に突出する鍔部を具え該鍔部には折り曲げられたときにその状態を保持する曲折自在の芯棒が前後方向に内挿され、前記肢カバー部は前記肢切欠部に固着され、前記肢カバー部の上部は上下方向に対する伸縮性に富んだ伸縮材で構成されている、ことを特徴としている。
さらに、本願請求項８に係る犬用レインコートは、請求項７に記載の犬用レインコートであって、前記胴体カバー部、前記頭カバー部、前記尻尾カバー部および前記肢カバー部はナイロン製の布で形成されている、ことを特徴としている。
また、本願請求項９に係る犬用レインコートは、請求項７または請求項８に記載の犬用レインコートであって、前記肢カバー部は上部肢カバー部と下部肢カバー部とからなり、該下部肢カバー部の上部の前記伸縮材はネット状に形成されてその上端部の略半周が前記肢切欠部に固着されるとともに該下部肢カバー部の外周には犬の肢部を締め付ける調整ベルトが捲回され、前記前肢カバー部の上部肢カバー部は前記肢切欠部および前記胸カバー部・前記胴体カバー部の固着部分に固着され、前記後肢カバー部の上部肢カバー部は前記肢切欠部に固着されて該伸縮材を外側から緩やかに覆っている、ことを特徴としている。
そして、本願請求項１０に係る犬用レインコートは、請求項７ないし請求項９のいずれかに記載の犬用レインコートであって、前記頭カバー部の首筋部のカバー部分には首輪に連結されるリード紐の挿通孔が貫設されている、ことを特徴としている。
さらに、本願請求項１１に係る犬用レインコートは、請求項７ないし請求項１０のいずれかに記載の犬用レインコートであって、前記胴体カバー部同士の係着および前記胴体カバー部と前記胸カバー部の係着は面ファスナーを介して行われる、ことを特徴としている。
なお、上記において、「胴体カバー部の胸部」、「胴体カバー部の腹部」、「頭カバー部の頭頂部」および「頭カバー部の首筋部」とは、本願発明に係る犬用レインコートを着用させたときに犬の胸部、犬の腹部、犬の頭頂部および犬の首筋部に相対する部分をいう。また、「胴体カバー部の前両側部」、「胴体カバー部の前上側」、「胸カバー部の上部」、「前後方向」等における「前」、「後」、「上」、「下」の概念は、犬用レインコートを着用させたとき状態をいい、たとえば、「前」とは、犬用レインコートの頭部側をいう。そして、線ファスナーとは、スライド式ファスナーのような線で係着するファスナーをいい、面ファスナーとは雌型および雄型からなるテープ状の面で係着するファスナーをいい、点ファスナーとはスナップボタンあるいはボタンとボタンホールのような点で係着するファスナーをいう。
【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
犬の胸部、腹部および背中部を覆い該背中部側で開閉自在に係着される胴体カバー部と、
犬の頭頂部、耳部、喉部および首筋部を覆い前記胴体カバー部の胸部にその喉部が固着される頭カバー部と、
犬の尻尾を上部から覆い前記胴体カバー部の尻尾側に固着される尻尾カバー部と、
犬の四肢の爪先を含めた肢部を覆い前記胴体カバー部に固着される４つの肢カバー部と、からなり、
前記胴体カバー部には前記肢カバー部内に連通する４つの肢挿入孔が貫設され、
前記頭カバー部の頭頂部は犬の目よりも前方に突出する鍔部を具え該鍔部には折り曲げられたときにその状態を保持する曲折自在の芯棒が前後方向に内挿され、該頭カバー部の首筋部は尻尾側に延伸して前記胴体カバー部の頭部側に重置されるとともに該胴体カバー部に対し着脱自在に係着され、
前記尻尾カバー部は背中部側で二分割されて前記胴体カバー部とともに開閉自在に係着され、
前記肢カバー部の上部は上下方向に対する伸縮性に富んだ伸縮材で構成されている、ことを特徴とする犬用レインコート。
【請求項２】
前記胴体カバー部には犬の小便排出部に対置する箇所に小便排出孔が貫設されている、ことを特徴とする請求項１に記載の犬用レインコート。
【請求項３】
前記胴体カバー部および前記尻尾カバー部の係着部分に沿って該係着部分を上から覆う係着カバー部が該胴体カバー部および該尻尾カバー部に対し開閉自在または着脱自在に係着され、前記頭カバー部の首筋部は尻尾側に延伸して該係着カバー部の頭部側に重置されるとともに該係着カバー部に対し着脱自在に係着されている、ことを特徴とする請求項１または請求項２に記載の犬用レインコート。
【請求項４】
前記胴体カバー部、前記頭カバー部、前記尻尾カバー部、前記肢カバー部、および前記係着カバー部はナイロン製の布で形成されている、ことを特徴とする請求項１ないし請求項３のいずれかに記載の犬用レインコート。
【請求項５】
前記肢カバー部は上部肢カバー部と下部肢カバー部とからなり、該下部肢カバー部の上部の前記伸縮材はネット状に形成されるとともに該下部肢カバー部には犬の肢部を締め付ける調整ベルトが捲回され、該上部肢カバー部は前記胴体カバー部に固着されて該伸縮材を外側から緩やかに覆っている、ことを特徴とする請求項１ないし請求項４のいずれかに記載の犬用レインコート。
【請求項６】
前記頭カバー部の首筋部のカバー部分には首輪に連結されるリード紐の挿通孔が貫設されている、ことを特徴とする請求項１ないし請求項５のいずれかに記載の犬用レインコート。
【請求項７】
前記胴体カバー部同士および前記尻尾カバー部同士の係着は線ファスナーを介して行われ、該胴体カバー部および該尻尾カバー部に対する前記係着カバー部の係着は面ファスナーおよび／または点ファスナーを介して行われ、該胴体カバー部に対する前記頭カバー部の係着あるいは該係着カバー部に対する前記頭カバー部の係着は面ファスナーおよび／または点ファスナーを介して行われる、ことを特徴とする請求項１ないし請求項６のいずれかに記載の犬用レインコート。
【請求項８】
犬の背中部および腹部を覆い該腹部側で開閉自在に係着される胴体カバー部と、
犬の胸部を覆い前記胴体カバー部の前両側部に固着される胸カバー部と、
犬の頭頂部、耳部、喉部および首筋部を覆い前記胴体カバー部の前上側および前記胸カバー部の上部に固着される頭カバー部と、
犬の尻尾を上部から覆い前記胴体カバー部の尻尾側に固着される尻尾カバー部と、
犬の四肢の爪先を含めた肢部を覆い前記胴体カバー部に固着される一対の前肢カバー部および一対の後肢カバー部からなる肢カバー部と、からなり、
前記胴体カバー部は略半円形に切り欠きされた肢切欠部を具え、
前記胸カバー部の下部は一対の前記前肢カバー部の間を通って前記胴体カバー部の腹部に着脱自在に係着され、
前記頭カバー部の頭頂部は犬の目よりも前方に突出する鍔部を具え該鍔部には折り曲げられたときにその状態を保持する曲折自在の芯棒が前後方向に内挿され、
前記肢カバー部は前記肢切欠部に固着され、
前記肢カバー部の上部は上下方向に対する伸縮性に富んだ伸縮材で構成されている、ことを特徴とする犬用レインコート。
【請求項９】
前記胴体カバー部は犬の小便排出部に対置する箇所が切り欠きされた小便排出切欠部を具えている、ことを特徴とする請求項８に記載の犬用レインコート。
【請求項１０】
前記胴体カバー部、前記頭カバー部、前記尻尾カバー部および前記肢カバー部はナイロン製の布で形成されている、ことを特徴とする請求項８または請求項９に記載の犬用レインコート。
【請求項１１】
前記肢カバー部は上部肢カバー部と下部肢カバー部とからなり、該下部肢カバー部の上部の前記伸縮材はネット状に形成されてその上端部の略半周が前記肢切欠部に固着されるとともに該下部肢カバー部の外周には犬の肢部を締め付ける調整ベルトが捲回され、
前記前肢カバー部の上部肢カバー部は前記肢切欠部および前記胸カバー部・前記胴体カバー部の固着部分に固着され、前記後肢カバー部の上部肢カバー部は前記肢切欠部に固着されて該伸縮材を外側から緩やかに覆っている、ことを特徴とする請求項８ないし請求項１０のいずれかに記載の犬用レインコート。
【請求項１２】
前記頭カバー部の首筋部のカバー部分には首輪に連結されるリード紐の挿通孔が貫設されている、ことを特徴とする請求項８ないし請求項１１のいずれかに記載の犬用レインコート。
【請求項１３】
前記胴体カバー部同士の係着および前記胴体カバー部と前記胸カバー部の係着は面ファスナーを介して行われる、ことを特徴とする請求項８ないし請求項１２のいずれかに記載の犬用レインコート。
【手続補正２】
【補正対象書類名】明細書
【補正対象項目名】０００７
【補正方法】変更
【補正の内容】
【０００７】
上記目的を達成するため、本願請求項１に係る犬用レインコートは、犬の胸部、腹部および背中部を覆い該背中部側で開閉自在に係着される胴体カバー部と、犬の頭頂部、耳部、喉部および首筋部を覆い前記胴体カバー部の胸部にその喉部が固着される頭カバー部と、犬の尻尾を上部から覆い前記胴体カバー部の尻尾側に固着される尻尾カバー部と、犬の四肢の爪先を含めた肢部を覆い前記胴体カバー部に固着される４つの肢カバー部と、からなり、前記胴体カバー部には前記肢カバー部内に連通する４つの肢挿入孔が貫設され、前記頭カバー部の頭頂部は犬の目よりも前方に突出する鍔部を具え該鍔部には折り曲げられたときにその状態を保持する曲折自在の芯棒が前後方向に内挿され、該頭カバー部の首筋部は尻尾側に延伸して前記胴体カバー部の頭部側に重置されるとともに該胴体カバー部に対し着脱自在に係着され、前記尻尾カバー部は背中部側で二分割されて前記胴体カバー部とともに開閉自在に係着され、前記肢カバー部の上部は上下方向に対する伸縮性に富んだ伸縮材で構成されている、ことを特徴としている。
そして、本願請求項２に係る犬用レインコートは、請求項１に記載の犬用レインコートであって、前記胴体カバー部には犬の小便排出部に対置する箇所に小便排出孔が貫設されている、ことを特徴としている。
また、本願請求項３に係る犬用レインコートは、請求項１または請求項２に記載の犬用レインコートであって、前記胴体カバー部および前記尻尾カバー部の係着部分に沿って該係着部分を上から覆う係着カバー部が該胴体カバー部および該尻尾カバー部に対し開閉自在または着脱自在に係着され、前記頭カバー部の首筋部は尻尾側に延伸して該係着カバー部の頭部側に重置されるとともに該係着カバー部に対し着脱自在に係着されている、ことを特徴としている。
さらに、本願請求項４に係る犬用レインコートは、請求項１ないし請求項３のいずれかに記載の犬用レインコートであって、前記胴体カバー部、前記頭カバー部、前記尻尾カバー部、前記肢カバー部、および前記係着カバー部はナイロン製の布で形成されている、ことを特徴としている。
そして、本願請求項５に係る犬用レインコートは、請求項１ないし請求項４のいずれかに記載の犬用レインコートであって、前記肢カバー部は上部肢カバー部と下部肢カバー部とからなり、該下部肢カバー部の上部の前記伸縮材はネット状に形成されるとともに該下部肢カバー部には犬の肢部を締め付ける調整ベルトが捲回され、該上部肢カバー部は前記胴体カバー部に固着されて該伸縮材を外側から緩やかに覆っている、ことを特徴としている。
また、本願請求項６に係る犬用レインコートは、請求項１ないし請求項５のいずれかに記載の犬用レインコートであって、前記頭カバー部の首筋部のカバー部分には首輪に連結されるリード紐の挿通孔が貫設されている、ことを特徴としている。
そして、本願請求項７に係る犬用レインコートは、請求項１ないし請求項６のいずれかに記載の犬用レインコートであって、前記胴体カバー部同士および前記尻尾カバー部同士の係着は線ファスナーを介して行われ、該胴体カバー部および該尻尾カバー部に対する前記係着カバー部の係着は面ファスナーおよび／または点ファスナーを介して行われ、該胴体カバー部に対する前記頭カバー部の係着あるいは該係着カバー部に対する前記頭カバー部の係着は面ファスナーおよび／または点ファスナーを介して行われる、ことを特徴としている。
さらに、本願請求項８に係る犬用レインコートは、犬の背中部および腹部を覆い該腹部側で開閉自在に係着される胴体カバー部と、犬の胸部を覆い前記胴体カバー部の前両側部に固着される胸カバー部と、犬の頭頂部、耳部、喉部および首筋部を覆い前記胴体カバー部の前上側および前記胸カバー部の上部に固着される頭カバー部と、犬の尻尾を上部から覆い前記胴体カバー部の尻尾側に固着される尻尾カバー部と、犬の四肢の爪先を含めた肢部を覆い前記胴体カバー部に固着される一対の前肢カバー部および一対の後肢カバー部からなる肢カバー部と、からなり、前記胴体カバー部は略半円形に切り欠きされた肢切欠部を具え、前記胸カバー部の下部は一対の前記前肢カバー部の間を通って前記胴体カバー部の腹部に着脱自在に係着され、前記頭カバー部の頭頂部は犬の目よりも前方に突出する鍔部を具え該鍔部には折り曲げられたときにその状態を保持する曲折自在の芯棒が前後方向に内挿され、前記肢カバー部は前記肢切欠部に固着され、前記肢カバー部の上部は上下方向に対する伸縮性に富んだ伸縮材で構成されている、ことを特徴としている。
また、本願請求項９に係る犬用レインコートは、請求項８に記載の犬用レインコートであって、前記胴体カバー部は犬の小便排出部に対置する箇所が切り欠きされた小便排出切欠部を具えている、ことを特徴としている。
そして、本願請求項１０に係る犬用レインコートは、請求項８または請求項９に記載の犬用レインコートであって、前記胴体カバー部、前記頭カバー部、前記尻尾カバー部および前記肢カバー部はナイロン製の布で形成されている、ことを特徴としている。
さらに、本願請求項１１に係る犬用レインコートは、請求項８ないし請求項１０のいずれかに記載の犬用レインコートであって、前記肢カバー部は上部肢カバー部と下部肢カバー部とからなり、該下部肢カバー部の上部の前記伸縮材はネット状に形成されてその上端部の略半周が前記肢切欠部に固着されるとともに該下部肢カバー部の外周には犬の肢部を締め付ける調整ベルトが捲回され、
前記前肢カバー部の上部肢カバー部は前記肢切欠部および前記胸カバー部・前記胴体カバー部の固着部分に固着され、前記後肢カバー部の上部肢カバー部は前記肢切欠部に固着されて該伸縮材を外側から緩やかに覆っている、ことを特徴としている。
また、本願請求項１２に係る犬用レインコートは、請求項８ないし請求項１１のいずれかに記載の犬用レインコートであって、前記頭カバー部の首筋部のカバー部分には首輪に連結されるリード紐の挿通孔が貫設されている、ことを特徴としている。
そして、本願請求項１３に係る犬用レインコートは、請求項８ないし請求項１２のいずれかに記載の犬用レインコートであって、前記胴体カバー部同士の係着および前記胴体カバー部と前記胸カバー部の係着は面ファスナーを介して行われる、ことを特徴としている。
なお、上記において、「胴体カバー部の胸部」、「胴体カバー部の腹部」、「頭カバー部の頭頂部」および「頭カバー部の首筋部」とは、本願発明に係る犬用レインコートを着用させたときに犬の胸部、犬の腹部、犬の頭頂部および犬の首筋部に相対する部分をいう。また、「胴体カバー部の前両側部」、「胴体カバー部の前上側」、「胸カバー部の上部」、「前後方向」等における「前」、「後」、「上」、「下」の概念は、犬用レインコートを着用させたとき状態をいい、たとえば、「前」とは、犬用レインコートの頭部側をいう。そして、線ファスナーとは、スライド式ファスナーのような線で係着するファスナーをいい、面ファスナーとは雌型および雄型からなるテープ状の面で係着するファスナーをいい、点ファスナーとはスナップボタンあるいはボタンとボタンホールのような点で係着するファスナーをいう。
【手続補正３】
【補正対象書類名】明細書
【補正対象項目名】０００８
【補正方法】変更
【補正の内容】
【０００８】
本願請求項１ないし請求項７に係る発明は、上記構成により以下の効果を奏する。
（１）犬の胸部、腹部および背中部を覆う胴体カバー部と、犬の頭頂部、耳部、喉部および首筋部を覆う頭カバー部と、犬の尻尾を上部から覆う尻尾カバー部と、犬の四肢の爪先を含めた肢部を覆う４つの肢カバー部と、から構成され、カバーされていない犬の部分は、犬の鼻の上部と尻尾の下側であるが、尻尾自体は胴体カバー部の尻尾側と垂れ下がる尻尾カバー部により実質的にカバーされている。さらに、胴体カバー部および尻尾カバー部の係着部分には当該係着部分を上から覆う係着カバー部を備えているので、背中側に取り付けられた係着部分の止水性が高くなる。
したがって、本願発明の犬用レインコートの素材を防水性や撥水性に富んだものとすることにより、毛足の長い犬や耳の垂れ下がった犬であっても降水による濡れはなく、散歩後の犬の毛の手入れが簡単になる。
（２）胴体カバー部および尻尾カバー部の係着は背中部側で行うことから、本願発明の犬用レインコートの犬に対する着脱は容易である。
（３）尻尾カバー部は尻尾を上からのみ覆い、必要に応じて犬の小便排出部に対置する箇所に小便排出孔が貫設されるので、犬の生理現象の処理に支障をきたすおそれはない。
（４）頭カバー部の頭頂部は犬の目よりも前方に突出する鍔部を具えていて、鍔部には折り曲げられたときにその状態を保持する曲折自在の芯棒が前後方向に沿って内挿されているので、カバーされていない犬の鼻の上部であっても、濡れ難くなるとともに、鍔部が犬の目の前に垂れ下がり視界を妨げることはない。さらに、曲折自在の芯棒により、降水の強弱や犬の好みに応じて、鍔部を下げたり上げたりすることができる。
（５）本願発明のレインコートの素材をナイロン製とすることにより、軽く、かつ、防水性に富んだレインコートにすることができるとともに、ナイロン製の布は撥水加工が容易であり、また、好みの鮮やかな色彩とすることができる。
（６）肢カバー部の上部は上下方向に対する伸縮性に富んだ伸縮材で構成されているので、犬の体型による肢の長さの違いにも合わせることができる。また、肢カバー部を上部肢カバー部と下部肢カバー部とから構成し、下部肢カバー部の上部の伸縮材はネット状とすることにより、通気性が良くなり蒸れ難くなる。
さらに、下部肢カバー部に捲回された調整ベルトにより、本願発明の犬用レインコートは、犬が激しい動きをしてもその動きに追随し、その位置がずれることはない。
（７）頭カバー部の首筋部のカバー部分に貫設されたリード紐の挿通孔により、本願発明の犬用レインコートを着用させてもリード紐を自由に使えることができる。
【手続補正４】
【補正対象書類名】明細書
【補正対象項目名】０００９
【補正方法】変更
【補正の内容】
【０００９】
本願請求項８ないし請求項１３に係る発明は、上記構成により以下の効果を奏する。
（１）犬の腹部および背中部を覆う胴体カバー部と、犬の胸部を覆う胸カバー部と、犬の頭頂部、耳部、喉部および首筋部を覆う頭カバー部と、犬の尻尾を上部から覆う尻尾カバー部と、犬の四肢の爪先を含めた肢部を覆う４つの肢カバー部と、から構成され、カバーされていない犬の部分は、犬の鼻の上部と尻尾の下側であるが、尻尾自体は胴体カバー部の尻尾側と垂れ下がる尻尾カバー部により実質的にカバーされている。さらに、胴体カバー部の背中部は１枚の布で覆われるため、止水性が一段と向上する。
したがって、本願発明の犬用レインコートの素材を防水性や撥水性に富んだものとすることにより、毛足の長い犬や耳の垂れ下がった犬であっても降水による濡れはなく、散歩後の犬の毛の手入れが簡単になる。
（２）犬用レインコートの係着は、胴体カバー部の腹部の面ファスナーおよび胸カバー部の下部の面ファスナーのみであって、係着箇所が少なく、かつ、係着手段も面ファスナーで行うことから、本願発明の犬用レインコートの犬に対する着脱はより一層容易であり、また、着脱手段を面ファスナーで行うことにしているから、毛足の長い犬の毛や犬のカールした毛がファスナーに巻き込まれるおそれがない。
（３）頭カバー部の頭頂部は犬の目よりも前方に突出する鍔部を具えていて、鍔部には折り曲げられたときにその状態を保持する曲折自在の芯棒が前後方向に沿って内挿されているので、カバーされていない犬の鼻の上部であっても、濡れ難くなるとともに、鍔部が犬の目の前に垂れ下がり視界を妨げることはない。さらに、曲折自在の芯棒により、降水の強弱や犬の好みに応じて、鍔部を下げたり上げたりすることができる。
（４）下部肢カバー部の上部に位置するネット状に形成された伸縮材は、その上端部の略半周が肢切欠部に固着されているため、残りの略半周がフリーの状態となる。このため、犬の四肢を容易に肢カバー部内に挿入することができる。
（５）本願発明のレインコートの素材をナイロン製とすることにより、軽く、かつ、防水性に富んだレインコートにすることができるとともに、ナイロン製の布は撥水加工が容易であり、また、好みの鮮やかな色彩とすることができる。
（６）肢カバー部の上部は上下方向に対する伸縮性に富んだ伸縮材で構成されているので、犬の体型による肢の長さの違いにも合わせることができる。また、肢カバー部を上部肢カバー部と下部肢カバー部とから構成し、下部肢カバー部の上部の伸縮材はネット状とすることにより、通気性が良くなり蒸れ難くなる。
さらに、下部肢カバー部に捲回された調整ベルトにより、本願発明の犬用レインコートは、犬が激しい動きをしてもその動きに追随し、その位置がずれることはない。
（７）頭カバー部の首筋部のカバー部分に貫設されたリード紐の挿通孔により、本願発明の犬用レインコートを着用させてもリード紐を自由に使えることができる。